(57)【要約】【課題】デザイン性の向上が可能となるドアを提供する。【解決手段】建物の開口部２に設けられ、少なくとも吊元側縦枠９と戸先側縦枠１０とを有するドア枠３を備える。ドア枠３に、吊元側縦枠９に設けられた蝶番５により回動可能に取り付けられたドア本体４を備える。蝶番５は、吊元側縦枠９内に取り付けられ、平面視において、蝶番の軸５ａにおける回動の中心は、吊元側縦枠９の側面より内側に位置する。【選択図】図４
2019173507.tif 000002
【特許請求の範囲】
【請求項１】
建物の開口部に設けられ、少なくとも吊元側縦枠と戸先側縦枠とを有するドア枠と、
前記ドア枠に、前記吊元側縦枠に設けられた蝶番により回動可能に取り付けられたドア本体とを備えたドアであって、
前記蝶番は、前記吊元側縦枠内に取り付けられ、平面視において、前記蝶番の軸心は、前記吊元側縦枠の側面より内側に位置するドア。
【請求項２】
前記蝶番と同軸に、ドアクローザーが取り付けられた請求項１に記載のドア。
【請求項３】
前記ドア本体に対面する見込み面部に開口部が設けられた吊元側縦枠と、
第１の取付部と第２の取付部とが前記軸を介して連結される蝶番とを備え、
前記第１の取付部は、前記吊元側縦枠に取り付けられ、
前記第２の取付部は、前記ドア本体の見込み面部に取り付けられると共に、前記第２の取付部は前記吊元側縦枠の前記開口部に挿通される請求項１または２に記載のドア。
【請求項４】
前記第１の取付部は、前記ドア本体に対面する前記吊元側縦枠の前記見込み面部に取り付けられた請求項３に記載のドア。
【請求項５】
前記吊元側縦枠の見付け面部と、前記見付け面部に隣接する前記ドア本体の見付け面部との間に、前記吊元側縦枠側から前記ドア本体側に突出するか、もしくは前記ドア本体側から前記吊元側縦枠側に突出して、前記吊元側縦枠と前記ドア本体との間の隙間を覆う遮蔽部が設けられた請求項１から４までのいずれか１項に記載のドア。
【請求項６】
前記蝶番は、前記吊元側縦枠に、ブラケットを介して取り付けられた請求項１から５までのいずれか１項に記載のドア。
【請求項７】
前記蝶番は、前記軸に一端側が設けられ、他端側が前記ドア本体に結合されるアーム部を有し、前記アーム部は、水平断面形状がＬ字形をなす１から６までのいずれか１項に記載のドア。
【請求項８】
前記ブラケットを覆う遮蔽部材を備えた請求項６に記載のドア。
【発明の詳細な説明】
【技術分野】
【０００１】
本発明は、例えば住宅等の建築物に用いられ、ドア本体がドア枠に蝶番を介して取り付けられるドアに関する。
【背景技術】
【０００２】
アパートまたは一般住宅あるいは公共の建築物等に用いられる従来のドアには、ドア本体の吊元側に設けられた上下の軸を中心として、ドア本体をドア枠に回動可能に取付けたものと、ドア枠とドア本体との間を蝶番により結合したものとがある。これらのドアのうち、ドア枠とドア本体との間を蝶番により結合した従来のドアは、例えば特許文献１に記載されたもののように構成される。すなわち、蝶番は軸を中心として互いに回動可能に結合された一対の回動板を有し、対をなす一方の回動板をドア枠の縦枠のドア本体側に露出した見込み面に固定し、他方の回動板をドア本体の見込み面に固定している。
【先行技術文献】
【特許文献】
【０００３】
【特許文献１】特開２００８−２５２１１号公報
【発明の概要】
【発明が解決しようとする課題】
【０００４】
前述のように、ドア枠とドア本体とを蝶番を介して結合した従来のドアは、蝶番の一方の回動板を縦枠の見込み面に固定している。このため、ドア蝶番が見えてしまい、デザイン性を損ねてしまう。
【０００５】
本発明は、上記問題点に鑑み、デザイン性の向上が可能となるドアを提供することを目的とする。
【課題を解決するための手段】
【０００６】
本発明のドアは、建物の開口部に設けられ、少なくとも吊元側縦枠と戸先側縦枠とを有するドア枠と、前記ドア枠に、前記吊元側縦枠に設けられた蝶番により回動可能に取り付けられたドア本体とを備えたドアであって、前記蝶番は、前記吊元側縦枠内に取り付けられ、平面視において、前記蝶番の軸心は、前記吊元側縦枠の側面より内側に位置するものである。
【０００７】
このように、本発明のドアは、蝶番の軸心は、前記吊元側縦枠の側面部より内側に位置させたので、蝶番を外部から見えにくくすることができ、デザインを向上させることが可能となる。
【０００８】
上述した本発明において、蝶番と同軸に、ドアクローザーが取り付けられることが好ましい。この態様によれば、蝶番と同軸にドアクローザーが設けられるため、上枠にドアクローザーが取り付けられた従来のドアのように、ドアクローザーが外部に露出することがなくなり、さらなるデザインの向上を図ることができる。また、ドアクローザーの取り付け場所がドア上部ではなくなるため、取り付けが高所の作業ではなくなり、施工性が向上する。更に、ドアクローザーの調整も高所でなくなるため容易となり、メンテナンス性が向上する。
【０００９】
上述した本発明において、前記ドア本体に対面する見込み面部に開口部が設けられた吊元側縦枠と、第１の取付部と第２の取付部とが前記軸を介して連結される蝶番とを備え、前記第１の取付部は、前記吊元側縦枠に取り付けられ、前記第２の取付部は、前記ドア本体の見込み面部に取り付けられると共に、前記第２の取付部は前記吊元側縦枠の前記開口部に挿通される構成とすることが好ましい。この態様によれば、蝶番の取り付け部分や固定具が見えにくくなり、デザイン性がより向上する。
【００１０】
上述した本発明において、前記第１の取付部は、前記ドア本体に対面する前記吊元側縦枠の前記見込み面部に取り付けられることが好ましい。この態様によれば、吊元側縦枠の見込み面部や、ドア本体の見込み面部に、ドア本体の縦横の位置調整機構を設けることが可能となるので、ドアを開放状態とすれば、建付け調整が可能となり、施工性およびメンテナンス性がより向上する。
【００１１】
上述した本発明において、前記吊元側縦枠の見付け面部と、前記見付け面部に隣接する前記ドア本体の見付け面部との間に、前記吊元側縦枠側から前記ドア本体側に突出するか、もしくは前記ドア本体側から前記吊元側縦枠側に突出して、前記吊元側縦枠と前記ドア本体との間の隙間を覆う遮蔽部が設けられることが好ましい。この態様によれば、ドアを閉じた状態で蝶番やその取り付け部分が見えないため、よりデザイン性の優れたドアを提供できる。また、吊元側縦枠とドア本体との間の隙間が遮蔽部で覆われるため、ドアが閉じているときに蝶番にアクセスしにくくなるので、外部から蝶番が壊され難くなり、防犯性が向上する。
【００１２】
上述した本発明において、前記蝶番は、前記吊元側縦枠に、ブラケットを介して取り付けられることが好ましい。この態様によれば、ドアが閉じた状態において、ブラケットにより、蝶番が見えない構造がより実現し易くなり、デザイン性がより向上する。また、ブラケットに建付け調整機構等のための部分を設けることにより、吊元側縦枠への加工部分を減らすことができ、製造が容易となる。
【００１３】
上述した本発明において、前記蝶番は、前記軸に一端側が設けられ、他端側が前記ドア本体に結合されるアーム部を有し、前記アーム部は、水平断面形状がＬ字形をなすことが好ましい。この態様によれば、吊元側縦枠内の領域をアーム部の回動に有効に利用して、ドア本体の回動範囲を広く確保することができる。
【００１４】
上述した本発明において、前記ブラケットを覆う遮蔽部材を備えることが好ましい。この態様によれば、ブラケットを覆う遮蔽部材を備えることにより、蝶番を含むドア本体回動のための機能部品をさらによりよく隠すことができる。このため、ドアのデザイン性がより向上する。
【図面の簡単な説明】
【００１５】
【図１】本発明のドアの第１の実施形態を室外側から見た図である。
【図２】本実施形態のドアの縦断面図である。
【図３】本実施形態のドアの横断面図である。
【図４】本実施形態のドア枠とドア本体との蝶番による結合部を示す斜視図である。
【図５】本実施形態のドア枠とドア本体との蝶番による結合部を、ドアを閉めた状態で示す横断面図である。
【図６】本実施形態のドア枠とドア本体との蝶番による結合部を、ドアを開けた状態で示す横断面図である。
【図７】本実施形態の蝶番によるドア枠への取り付け側の構造を示す分解斜視図である。
【図８】本実施形態の蝶番によるドア本体への取り付け側の構造を示す分解斜視図である。
【図９】本実施形態の蝶番により結合されたドア枠とドア本体を示す斜視図である。
【図１０】本実施形態において、蝶番取り付けのためのブラケットを、カバーにより覆った状態を示す斜視図である。
【図１１】図１０に示すカバーのうち、吊元側縦枠側で上側のカバーの取り付け構造を示す縦断面図である。
【図１２】図１０に示すカバーのうち、吊元側縦枠側で下側のカバーの取り付け構造を示す縦断面図である。
【図１３】図１０に示すカバーのうち、ドア本体側のカバーの取り付け構造を示す縦断面図である。
【図１４】図１０に示すカバーのうち、ドア本体側のカバーの取り付け構造を示す横断面図である。
【図１５】本実施形態において、ドア本体の取り付けに当たり、蝶番を開いた状態に固定しておくための治具をブラケットと蝶番の間に取り付けた状態を示す斜視図である。
【図１６】本実施形態において、ドア本体を蝶番に仮止めした状態を示す縦断面図である。
【図１７】本発明のドアの第２の実施形態を実現する蝶番を示す縦断面図である。
【図１８】図１７の蝶番を示す分解斜視図である。
【図１９】図１７の蝶番の下部を拡大して示す断面図である。
【発明を実施するための形態】
【００１６】
＜第１の実施形態＞
図１は本発明のドアの第１の実施形態を室内側から見た図、図２、図３はそれぞれ図１のドアの縦断面図および横断面図である。本発明のドア１は、一般住宅やビル等の建物に設置されるが、本実施形態においては、一般住宅に設置されるドアについて示す。すなわち、図１ないし図３に示すように、建物の玄関に設けられる開口部２には、ドア枠３内にドア本体４を設けたドア１が設置される。ドア本体４は、ドア枠３に蝶番５により回動可能に、すなわち開閉可能に取付けられる。本実施形態においては、ドア本体４は、図２および図３に示す室外側６に開放される外開き式ドアを示すが、本発明は室内側７に開く内開き式ドアにも適用可能なものである。
【００１７】
ドア枠３は、吊元側縦枠９及び戸先側縦枠１０と、これらの縦枠９と１０との間に設けられた上枠１１と下枠１２とを備える。縦枠９および縦枠１０と上枠１１および下枠１２とは、不図示のねじ部材、または結合金具とねじ部材とにより結合される。なお、縦枠９と１０および上枠１１と下枠１２の材料は特に限定されず、例えば金属製や合成樹脂製、または木製その他の素材あるいはこれらを複合した材料を用いることができる。また、本発明は、上枠１１又は下枠１２を省略したドア枠にも適用できる。また、本発明は、ドア枠が吊元側縦枠９と戸先側縦枠１０のみからなる場合にも適用できるものである。また、本発明において、ねじ部材は、ねじのみならず、ボルトを含めた意味に用いる。
【００１８】
本実施形態のドア本体４は、左右に縦芯材１４と１５とを備え、上下に横芯材１６と１７とを備える。この例のドア本体４は、採光のため、吊元側に縦長の複層ガラス１９が組み込まれ、上部に横長の複層ガラス２０が組み込まれている。縦長の複層ガラス１９は、吊元側の縦芯材１４と、この芯材１４に平行に配置される補助の縦芯材２１との間に設けられる。横長の複層ガラス２０は、上の横芯材１６とこの芯材１６に平行に配置される補助の横芯材２２との間に設けられる。
【００１９】
縦芯材１４と１５と２１、および横芯材１６と１７と２２はいずれも鋼板を折曲げ成形材またはアルミニウム合金等の押し出し成形材を用いることができる。しかしながら、本発明においてはこれらの芯材の材料は上記例に限定されない。芯材１４〜１７および２１と２２は鋼板等でなる内側表面板２４と外側表面板２５との間に挟まれて、内側表面板２４と外側表面板２５がリベット等の固定具や溶接により芯材１４〜１７および２１と２２に固定される。
【００２０】
本実施形態においては、内側表面板２４および外側表面板２５の間に、パネル状の断熱材２６を挟み、断熱材２６を内側表面板２４と外側表面板２５に接着して構成している。ドア本体４としては、本実施形態で示したもの以外に種々の構造のものが採用される。例えば縦横の框内に、押出形材により成形されたパネルを取り付けたもの等、本実施形態と異なる種々の構造や素材の組み合わせのものを用いることができる。
【００２１】
図４と図５に示すように、吊元側縦枠９は内部に中空部９ａを有する中空構造を有する。本実施形態の吊元側縦枠９は、室内側見付け面部９ｂと、室外側見付け面部９ｃと、ドア本体側見込み面部９ｄと、躯体側見込み面部９ｅとで囲まれた矩形の中空部９ａが、吊元側縦枠９の内部に形成された例を示す。なお、本発明において、縦枠９及び縦枠１０を平面視した場合の外周を縦枠の側面と称する。したがって、本実施形態のように、吊元側縦枠９の水平断面が矩形に形成されている場合、見付け面部９ｂ、見付け面部９ｃ、見込み面部９ｄ及び見込み面部９ｅは縦枠の側面となる。なお、略Ｕ字状・略Ｃ字状のように平面視で外周に一部に欠けた部分のある枠を構成した場合、平面視においてその外周の欠けた部分における端部どうしを線でつなげた範囲が「側面の内側」である。
【００２２】
図４に示すように、吊元側縦枠９の室内側見付け面部９ｂには、隣接するドア本体４の室内側見付け面部４ｄ側に突出して、吊元側縦枠９とドア本体４との隙間８を覆う遮蔽部９ｇを設けている。また、室外側見付け面部４ｅに吊元側縦枠９の室外側見付け面部９ｃ側に突出して隙間８を隠す遮蔽部４ｆが設けられている。
【００２３】
蝶番５は、その軸５ａが吊元側縦枠９内に位置するように、後述の構造で吊元側縦枠９に取り付けられる。吊元側縦枠９のドア本体側見込み面部９ｄには、蝶番５を取り付けるための開口部９ｆが設けられている。図４おいて、蝶番５の軸心５ｘは、軸５ａの中心であり、この蝶番５の軸心５ｘは、吊元側縦枠９の側面の内側に位置する。また図４おいて、蝶番５の上筒部５ｃ及び下筒部５ｂは、吊元側縦枠９の側面の内側、即ち室内側見付け面部９ｂ、室外側見付け面部９ｃ、躯体側見込み面部９ｅ及びドア本体側見込み面部９ｄに囲まれた範囲内に収まっていることが好ましい。ただし、蝶番５の軸心５ｘが吊元側縦枠９の側面の内側に位置していれば、ドア本体側見込み面部９ｄ又は躯体側見込み面部９ｅから上筒部５ｃ及び下筒部５ｂの一部が突出していてもよい。
【００２４】
蝶番５は、図６ないし図８に示すように、軸５ａを保持した下筒部５ｂと、軸５ａの下筒部５ｂより上方につき出した部分に嵌めた上筒部５ｃとを有する。本実施形態においては、軸５ａは下筒部５ｂと上筒部５ｃのうちの少なくともいずれか一方に対して回動可能に取り付けられていればよい。下筒部５ｂには下筒部５ｂと一体に吊元側縦枠９への取付部５ｄが設けられている。
【００２５】
上筒部５ｃには、水平断面形状がＬ字形をなすアーム部５ｅが上筒部５ｃと一体に設けられている。アーム部５ｅには後述の水平調整部材５ｆが取り付けられている。本実施形態においては、取付部５ｄが第１の取付部であり、アーム部５ｅと水平調整部材５ｆとで第２の取付部５ｇを構成する。
【００２６】
蝶番５は吊元側縦枠９に直接取り付けてもよいが、本実施形態においては、ブラケット２８を介して蝶番５が吊元側縦枠９に取り付けられる例を示す。ブラケット２８は、金属製のもののみならず、合成樹脂製のものであってもよい。
【００２７】
図４および図５に示すように、ブラケット２８は、本体部２８ａの水平断面形状が略Ｌ字形をなす。本体部２８ａの縦横の幅は、それぞれ吊元側縦枠９に設けた開口部９ｆの縦横の幅より小さく、本体部２８ａは開口部９ｆから吊元側縦枠９内に差し込むことができる。
【００２８】
ブラケット２８の本体部２８ａには、蝶番５を取り付けるための受板部２８ｄを有する。図７に示すように、受板部２８ｄには、その上下２個所に、蝶番５を取り付けるねじ部材３０をねじ込むねじ孔３１が設けられている。
【００２９】
受板部２８ｄには、上下のねじ孔３１と３１との間に、偏心回転体３４の軸部３４ａを回動可能に挿通する円孔３２が設けられている。偏心回転体３４は、ドア枠３に対するドア本体４の上下位置を調整するものであり、その軸部３４ａの一端に、軸部３４ａより大径の円形部３４ｂが、軸部３４ａに対して偏心して一体に設けられたものである。
【００３０】
ブラケット２８の本体部２８ａの上下端部に、吊元側縦枠９にブラケット２８を取り付けるためのＬ字形の取付部２８ｂと２８ｃが、ねじ部材３６により本体部２８ａに固定して取り付けられている。なおこれらの取付部２８ｂと２８ｃは本体部２８ａと一体に設けてもよい。上下の取付部２８ｂと２８ｃには、吊元側縦枠９にブラケット２８を取り付けるための取付孔３８が設けられている。
【００３１】
吊元側縦枠９の見込み面部９ｄに設けられた開口部９ｆの上下には、ブラケット２８を取り付けるための裏板３９が溶接または不図示の固定機構により固定され、裏板３９には、ねじ孔３９ａが設けられている。ブラケット２８の取り付けは、本体部２８ａを吊元側縦枠９の開口部９ｆに挿入し、取付部２８ｂと２８ｃを裏板３９に当て、ねじ部材３０を、取付部２８ｂと２８ｃの取付孔３８に通し、裏板３９のねじ孔３９ａにねじ込むことにより行なわれる。
【００３２】
蝶番５の取付部５ｄには、ブラケット２８の受板部２８ｄのねじ孔３１に対応して、それぞれ上下に長い長孔４３が設けられている。これらの上下の長孔４３と４３との間に、横方向に長い長孔４４が設けられている。この長孔４４の上下幅は、偏心回転体３４の円形部３４ｂの直径よりわずかに大きく形成されている。ブラケット２８に設けられたねじ孔３１および円孔３２と、取付部５ｄに設けられた縦長の長孔４３および横長の長孔４４と、長孔４３にねじ部を通してブラケット２８のねじ孔３１にねじ込まれる蝶番５固定用のねじ部材３０と、ブラケット２８の円孔３２に軸部３４ａが回動可能に嵌められると共に、偏心した円形部３４ｂが取付部５ｄの長孔４４に回動可能に嵌められる偏心回転体３４とにより、ドア枠３に対するドア本体４の上下方向の位置調整機構が構成される。
【００３３】
蝶番５のアーム部５ｅに取り付ける水平調整部材５ｆは、図８に示すように、Ｌ字形のアーム部５ｅの先端側縦板部４６に当てる縦板部４７と、先端側縦板部４６の上端部、下端部にそれぞれ当てる上板部４８および下板部４９と、ドア本体４に水平調整部材５ｆを取り付けるための取付板部５０とを有する。
【００３４】
水平調整部材５ｆの縦板部４７には、水平調整部材５ｆをアーム部５ｅに取り付けるためのねじ部材５２をねじ込むねじ孔４７ａが、上下２個所に設けられている。また、縦板部４７の上下のねじ孔４７ａと４７ａとの間に、偏心回転体５３の軸部５３ａを回動可能に嵌める円孔４７ｂが設けられている。偏心回転体５３は、ドア枠３に対するドア本体４の幅方向の位置調整用に設けられたもので、その軸部５３ａの一端に、軸部５３ａより大径の円形部５３ｂが、軸部５３ａに対して偏心して一体に設けられたものである。
【００３５】
水平調整部材５ｆの取付板部５０には、水平調整部材５ｆをドア本体４に取り付けるためのねじ部材５５を通す横長の長孔５０ａが上下２個所に設けられている。また、取付板部５０の上部には、偏心回転体５７の円形部５７ｂを上下動可能に嵌める縦長の長孔５０ｂが設けられている。
【００３６】
アーム部５ｅの先端側縦板部４６には、アーム部５ｅに水平調整部材５ｆを取り付けるためのねじ部材５２を通す横長の長孔４６ａが、上下２個所に設けられている。また、上下の長孔４６ａと４６ａとの間に、偏心回転体５３の円形部５３ｂを回動可能に嵌める縦長の長孔４６ｂが設けられている。長孔４６ｂの左右の幅は、偏心回転体５３の円形部５３ｂの直径よりわすかに大きく形成されている。水平調整部材５ｆに設けられたねじ孔４７ａおよび円孔４７ｂと、アーム部５ｅに設けられた横長の長孔４６ａおよび縦長の長孔４６ｂと、長孔４６ａにねじ部を通して水平調整部材５ｆのねじ孔４６ａにねじ込まれる水平調整部材５ｆ固定用のねじ部材５２と、水平調整部材５ｆの円孔４７ｂに軸部５３ａが回動可能に嵌められると共に、偏心した円形部５３ｂがアーム部５ｅの長孔４６ｂに回動可能に嵌められる偏心回転体５３とにより、ドア枠３に対するドア本体４の幅方向の位置調整機構が構成される。
【００３７】
蝶番５の第２の取付部５ｇ、すなわち水平調整部材５ｆは、ドア本体４に直接取り付けてもよいが、本実施形態においては、図８に示すように、第２の取付部５ｇをドア本体４にブラケット６０を介して取り付ける構造としている。すなわち、ドア本体４の見込み面部４ａには、蝶番５にドア本体４を取り付けるためのブラケット６０を挿入する開口部４ｃが設けられている。ブラケット６０は、金属製のもののみならず、合成樹脂製のものであってもよい。
【００３８】
ブラケット６０は、ドア本体４の見込み面部４ａの開口部４ｃに挿入される本体部６０ａと、本体部６０ａの上下端部にそれぞれ設けられた取付部６０ｂと６０ｃとを有する。これらの取付部６０ｂと６０ｃには、ブラケット６０をドア本体４に取り付けるためのねじ部材６２を通す取付孔６３を有する。また、図８および図１６に示すように、本体部６０ａの上部には、ドア本体４をドア枠３に取り付ける際に、ドア本体４を仮止めしておくために、水平調整部材５ｆの取付板部５０の頂部に設けた段部５０ｃに掛ける引掛部６０ｄを有する。
【００３９】
ブラケット６０の本体部６０ａには、水平調整部材５ｆにブラケット６０を取り付けるねじ部材５５をねじ込むねじ孔６４と、偏心回転体５７の軸部５７ａを回動可能に嵌める円孔６５とが設けられている。偏心回転体５７は、ドア枠３に対するドア本体４の厚み方向の位置を調整するもので、その軸部５７ａの一端に、軸部５７ａより大径の円形部５７ｂが、軸部５７ａに対して偏心して一体に設けられたものである。ブラケット６０に設けられたねじ孔６４および円孔６５と、水平調整部材５ｆに設けられた横長の長孔５０ａおよび縦長の長孔５０ｂと、長孔５０ａにねじ部を通してブラケット６０のねじ孔５４にねじ込まれる水平調整部材５ｆ固定用のねじ部材５５と、ブラケット６０の円孔６５に軸部５７ａが回動可能に嵌められると共に、偏心した円形部５７ｂが水平調整部材５ｆの長孔５０ｂに回動可能に嵌められる偏心回転体５７とにより、ドア枠３に対するドア本体４の厚み方向の位置調整機構が構成される。
【００４０】
図１０に示すように、吊元側縦枠９には、ブラケット２８の上下の部分をそれぞれ覆う遮蔽部材６７Ａと６７Ｂが設けられている。下側の遮蔽部材６７Ｂは、蝶番５の下側部分、すなわち下筒部５ｂやそのブラケット２８への取り付け部分も覆う。遮蔽部材６７Ａを取り付けるため、図１１に示すように、ブラケット２８の上部の取付部２８ｂには、その垂直板部２８ｊの上下に段部２８ｅと溝部２８ｆとが設けられ、遮蔽部材６７Ａに設けた爪部６７ｃと突起６７ｄを、それぞれ段部２８ｅと溝部２８ｆに、遮蔽部材６７Ａの弾性を利用して掛けることにより、遮蔽部材６７Ａがブラケット２８に取り付けられる。
【００４１】
下側の遮蔽部材６７Ｂについても同様に、図１２に示すように、取付部２８ｃの垂直板部２８ｇの上下に溝部２８ｈと段部２８ｉが設けられ、遮蔽部材６８Ｂの突起６７ｆと爪部６７ｅをそれぞれ溝部２８ｉと段部２８ｈに、遮蔽部材６７Ｂの弾性を利用して掛けることにより、遮蔽部材６７Ｂがブラケット２８に取り付けられる。これらの遮蔽部材６７Ａと６７Ｂのブラケット２８への取り付けは、遮蔽部材６７Ａと６７Ｂの弾性を利用して行なっているので、蝶番５によるドア枠３にドア本体４を取り付けた後、遮蔽部材６７Ａと６７Ｂをそれぞれワンタッチで取り付けることができる。
【００４２】
図１３と図１４に示すように、ドア本体４側に取り付けるブラケット６０についても同様に、ブラケット６０の上部を覆う遮蔽部材６８Ａと、ブラケット６０の下部を覆う遮蔽部材６８Ｂが設けられる。すなわちブラケット６０の上部を覆う遮蔽部材６８Ａは、図１３に示すように、ブラケット６０の上端部６０ｅに遮蔽部材６８Ａの上端部の折曲げ部６８ｃを当て、遮蔽部材６８Ａに設けた突起６８ｄをブラケット６０に設けた溝部６０ｆに掛けると共に、図１４に示すように、遮蔽部材６８Ａの両側の折曲げ部６８ｅを、ブラケット６０の両側の突起６０ｇに掛けてブラケット６０に取り付ける。
【００４３】
ブラケット６０の下部を覆う遮蔽部材６８Ｂは、図１３に示すように、ブラケット６０の下端部６０ｈに遮蔽部材６８Ｂの下端部の折曲げ部６８ｆを当て、遮蔽部材６８Ｂに設けた突起６８ｇをブラケット６０に設けた溝部６０ｉに掛けると共に、図１４に示すように、遮蔽部材６８Ｂの両側の折曲げ部６８ｅを、ブラケット６０の両側の突起６０ｇに掛けてブラケット６０に取り付ける。
【００４４】
本実施形態において、建物の開口部２にドア枠３を取り付けた後のドア本体４のドア枠３への取り付けは以下の手順で行なわれる。まず、ブラケット２８には、蝶番５を取り付けておく。このブラケット２８への蝶番５の取り付けは、蝶番５の取付部５ｄをねじ部材３０によりブラケット２８に結合することにより行なう。すなわち、図７に示すように、ねじ部材３０を、取付部５ｄの上下の長孔４３と、ブラケット２８の受板部２８ｄのねじ孔にねじ込み、締め付けることにより取付部５ｄをブラケット２８に結合する。
【００４５】
このように、ねじ部材３０で蝶番５の取付部５ｄをブラケット２８に結合するとき、取付部５ｄの長孔４４に、偏心回転体３４の円形部３４ｂを嵌め、軸部３４ａをブラケット２８の受板部２８ｄの円孔３２に嵌め、軸部３４ａ端部に設けられている不図示の溝に不図示のワッシャを嵌めて抜け止めしておく。
【００４６】
このように、ブラケット２８に蝶番５を取り付けた状態にしておき、ブラケット２８の本体部２８ａを吊元側縦枠９の開口部９ｆに挿入する。この時、蝶番５の軸５ａは、吊元側縦枠９の中空部９ａ内に位置する。また、取付部５ｇのアーム部５ｅの一部は、開口部９ｆを通して吊元側縦枠９の外に露出する。
【００４７】
そして、ブラケット２８の取付部２８ｂと２８ｃの取付孔３８にねじ部材３０を通して、さらに吊元側縦枠９の見込み面部９ｄの裏面に設けられた裏板３９のねじ孔３９ａにねじ込んで締め付けることにより、ブラケット２８と共に蝶番５を吊元側縦枠９に取り付ける。
【００４８】
このように、吊元側縦枠９に蝶番５を取り付けた状態においては、平面視において、蝶番５の軸５ａにおける回動中心は、吊元側縦枠９の側面、すなわち本実施形態においては見付け面部９ｂと９ｃおよび見込み面部９ｄと９ｅで囲まれた箇所に位置する。
【００４９】
一方、ドア本体４を蝶番５を取り付ける際には、前もって図８に示すブラケット６０をドア本体４に取り付けておく。すなわち、ブラケット６０の本体部６０ａを、ドア本体４の見込み面部４ａの開口部４ｃに挿入し、ねじ部材６２を取付部６０ｂと６０ｃの取付孔６３に通し、見込み面部４ａの裏面に設けた裏板６６のねじ孔６６ａにねじ込み、締め付けることにより、ブラケット６０をドア本体４の見込み面部４ａに取り付ける。
【００５０】
ドア本体４を蝶番５に取り付けるに当たり、蝶番５のアーム部５ｅは水平調整部材５ｆにねじ部材５２により固定しておく。また、アーム部５ｅと水平調整部材５ｆとでなる取付部（第２の取付部）５ｇの回動を防止するため、図１５に示すように、蝶番５をドア本体４が開いた状態に相当する姿勢に回動させておき、蝶番５のＬ字形のアーム部５ｅとブラケット２８との間に、回動規制具３３を挿入し、固定しておく。この回動規制具３３の固定は、ねじ部材３５を回動規制具３３に設けた取付孔３３ａに挿通してブラケット２８に設けられたねじ孔３７（図７参照）にねじ込み、締め付けることにより行なう。
【００５１】
このように蝶番５の取付部５ｇの回動を防ぐ状態にしておき、蝶番５の取付部５ｇにドア本体４を載せる。すなわち、図１６に示すように、ブラケット６０に設けられた引掛部６０ｄを、取付部５ｇの水平調整部材５ｆの取付板部５０の上端の段部５０ｃに掛けてドア本体４を蝶番５に仮止めする。そして、水平調整部材５ｆの取付板部５０の長孔５０ａにねじ部材５５を通し、ブラケット６０に設けたねじ孔６４にねじ込む、締め付けることにより、水平調整部材５ｆにドア本体４を固定する。
【００５２】
このように、吊元側縦枠９に蝶番５を介してドア本体４を取り付けた後、吊元側縦枠９に対するドア本体４の建付けを調整する。この時、蝶番５の回動を阻止していた回動規制具３３を外しておく。そして、まずドア本体４のドア枠３に対する上下方向の建付け調整を行なうため、蝶番５をブラケット２８に固定していたねじ部材３０を緩めて、ブラケット２８に対して蝶番５、すなわちドア本体４の上下位置を調整可能にする。
【００５３】
そして、偏心回転体３４の円形部３４ｂに設けられた多角形の凹部３４ｃに、この凹部３４ｃに合致する形状の先端形状を有する不図示の工具を嵌めて回すことにより、ブラケット２８に対する蝶番５の上下位置、すなわちドア本体４の上下位置を調整する。この上下位置の調整を適正に行なった後、ねじ部材３０を締めてブラケット２８に対する蝶番５の上下位置、すなわち吊元側縦枠９に対するドア本体４の上下位置を固定する。
【００５４】
次にドア枠３に対するドア本体４の幅方向の位置を調整するため、アーム部５ｅに水平調整部材５ｆを固定しているねじ部材５２を緩めて、アーム部５ｅに対する水平調整部材５ｆの相対移動を可能にしておく。そして、偏心回転体５３を回してアーム部５ｅに対する水平調整部材５ｆの位置、すなわちドア本体４の幅方向の位置を調整する。このドア本体４の幅方向の位置の調整を適正に行なった後、ねじ部材５２を締めてアーム部５ｅに対する水平調整部材５ｆの水平位置、すなわち吊元側縦枠９に対するドア本体４のドア幅方向の位置を固定する。
【００５５】
次に水平調整部材５ｆにドア本体４を固定しているねじ部材５５を緩め、偏心回転体５７を回すことにより、水平調整部材５ｆに対するドア本体４の厚み方向に位置を調整した後、ねじ部材５５を締める。これにより吊元側縦枠９に対するドア本体４の厚み方向の位置が調整される。このようなドア本体４の厚み方向の位置調整により、ドアを閉じている時にドア枠３とドア本体４との間に挟まれる不図示のガスケットの圧力を適正に保つことができる。
【００５６】
上述のように、本実施形態のドアは、吊元側縦枠９に蝶番５を取り付けた状態においては、平面視において、蝶番５の軸５ａにおける回動中心は、吊元側縦枠９の側面で囲まれた箇所に位置する。このため、蝶番５を見えにくくすることができ、デザインを向上させることが可能となる。すなわち、蝶番５は、そのドア本体４側の取付部である第２の取付部５ｇを、吊元側縦枠９の開口部９ｆに通し、第２の取付部５ｇをドア本体４の見込み面部４ａに取り付けたので、ドアを開いた状態において、第２の取付部５ｇのみが目視され、デザイン性が向上する。
【００５７】
また、本実施形態においては、第１の取付部５ｄは、ドア本体４に対面する吊元側縦枠９の見込み面部９ｄに取り付けたので、ドアを開いた状態において、ドア本体の縦横の位置調整機構を行なうことが可能となるので、ドアを開放状態とすれば、建付け調整が可能となり、施工性およびメンテナンス性がより向上する。
【００５８】
また、本実施形態においては、吊元側縦枠９の見付け面部９ｂに、縦枠９側からドア本体４側に突出する遮蔽部９ｇを設け、ドア本体４の見付け面部４ｅに、吊元側縦枠９の見付け面部９ｃ側に突出する遮蔽部４ｆを設けることにより、吊元側縦枠９とドア本体４との間の隙間８を覆っている。このため、ドアを閉じた状態では、遮蔽部９ｇと４ｆとにより、蝶番５やその取り付け部分が見えないため、よりデザイン性の優れたドアを提供できる。また、吊元側縦枠９とドア本体４との間の隙間８が遮蔽部４ｆで覆われるため、ドアが閉じているときに蝶番にアクセスしにくくなるので、外部から蝶番５が壊され難くなり、防犯性が向上する。なお、吊元側縦枠９とドア本体４との間の隙間８を覆う遮蔽部は、ドア本体４の室内側見付け面部から吊元側縦枠９側に突出させ、吊元側縦枠９の室外側見付け面部からドア本体４の見付け面部側に突出させて設けてもよい。
【００５９】
また、本実施形態においては、吊元側縦枠９に、ブラケット２８を介して蝶番５を取り付けたので、ドアが閉じた状態において、ブラケット２８により、蝶番５が見えない構造がより実現し易くなり、デザイン性がより向上する。また、ブラケット２８と第１の取付部５ｄとの間に、建付け調整機構のためのねじ孔３１や偏心回転体３４の取付部を設けることにより、吊元側縦枠９への加工部分を減らすことができ、製造が容易となる。
【００６０】
また、本実施形態においては、蝶番５は、軸５ａに一端側が取り付けられ、他端側がドア本体４に水平調整部材５ｆを介して結合されるアーム部５ｅを有し、このアーム部５ｅは、水平断面形状がＬ字形をなす。このようなアーム部５ｅを設ければ、吊元側縦枠９内の領域をアーム部５ｅの回動に有効に利用して、ドア本体４の回動範囲を広く確保することができる。
【００６１】
また、図１０ないし図１２に示すように、前記ブラケット２８を覆う遮蔽部材６７Ａ、６７Ｂを備えることにより、蝶番５を含むドア本体４の回動のための機能部品をさらによりよく隠すことができる。このため、ドアのデザイン性がより向上する。さらに、図１０と図１３と図１４に示すように、ドア本体４側のブラケット６０を覆う遮蔽部材６８Ａ、６８Ｂを設けることにより、ドアのデザイン性をさらに向上させることができる。
【００６２】
＜第２の実施形態＞
上述のように、第１の実施形態においては、蝶番５の軸５ａの中心が吊元側縦枠９内に位置する構成としたので、デザイン性を向上させることが可能である。この第１の実施形態において、例えば特開２０１３−１１０５４号公報に記載のように、従来のドアクローザーを採用することが考えられる。この従来のドアクローザーは、ドア枠の上枠とドア本体の上部との間に設けられるものである。しかしながら、このような従来のドアクローザーを採用した場合、高所での作業による取り付け作業やメンテナンス作業が必要となり、施工性、メンテナンス性の面で改良すべき点がある。また、ドアクローザーがドアの外部から目視できるので、デザイン性の面でも改良すべき点がある。
【００６３】
仮に、例えば特開平６−６６０６０号公報に記載のように、ドアクローザーの本体部分、すなわちドア本体を閉じる方向に力を加えるスプリングを収容するドアクローザー本体部をドア本体の上部に収容して外部から目視できない構造にしたとしても、ドアクローザー本体部に連結される操作アーム部分はドア本体の外に露出するので、やはりデザイン性の課題が残る。その上、ドア施工後は、ドアクローザーへのアクセスがドア本体の上からのみに限定されるため、調整ができず、施工性、メンテナンス性の面で改良すべき点がある。以下に説明する本発明の第２の実施の形態は、このような課題をも解決し、さらなるデザイン性の向上および施工性とメンテナンス性の向上を図るものである。
【００６４】
図１７ないし図１９は第２の実施形態のドアに用いる蝶番５を示す。この蝶番５は、蝶番５内に蝶番５内の軸８１と同軸のドアクローザー６９を構成するものであり、図１ないし図１５に示したドアにおける蝶番５の代わりに用いることができるものである。すなわち、図１ないし図１５に示したドア枠３やドア本体４の構成は第２の実施形態のドア枠３やドア本体４の構成に用いることができ、ブラケット２８やブラケット６０と蝶番５との関連構成、すなわち建付け調整に関する構成も、第１の実施の形態のものを用いることができる。
【００６５】
図１７ないし図１９において、蝶番５の下筒部５ｂは下筒部５ｂと一体の吊元側縦枠９への取付部５ｄを有する。この取付部（第１の取付部）５ｄは図４ないし図７に示したように、ブラケット２８を介して吊元側縦枠９に取り付けられるものである。また、蝶番５の上筒部５ｃは上筒部５ｃと一体のアーム部５ｅを有する。このアーム部５ｅは水平断面形状がＬ字形をなすもので、図６と図８に示すように、水平調整部材５ｆが取り付けられ、第２の取付部５ｇを構成するものである。また、この第２の取付部５ｇにブラケット６０を介してドア本体４が取り付けられる。
【００６６】
下筒部５ｂ内にはチャンバ７３が形成され、このチャンバ７３にプランジャ７４が上下動可能に収容される。下筒部５ｂの下端部は、下筒部５ｂに設けられた雌ねじ部５ｍにねじ込まれる雄ねじ部７６ａを有する端部キャップ７６により閉塞される。下筒部５ｂの上部には、内径、外径が下筒部５ｂより小さな円筒部７７が一体に設けられる。この円筒部７７内に、ロッド７８が上下動可能に挿入され、このロッド７８の下端は、プランジャ７４に結合されている。チャンバ７３内には、プランジャ７４を下方に押す力を加える圧縮スプリング７９が設けられている。円筒部の内壁にはチャンバ７３内に充填される油等の作動流体の漏れを防ぐパッキング８０が設けられている。
【００６７】
下筒部５ｂの上部に設けられた小筒部７７の外側には、円筒状のブッシング８３が嵌めて固定されている。上筒部５ｃ内には、軸８１が、上筒部５ｃの回動と共に回動するように組み込まれている。軸８１の下部は円筒部８１ａをなし、この円筒部８１ａがロッド７８の上端部の外側に嵌まり、かつブッシング８３の内側に回動可能に嵌め込まれている。ブッシング８３と軸８１との間には、ブッシング８３と軸８１および上筒部５ｃとの間の回動抵抗を低減する軸受８５と８６とが設けられている。
【００６８】
軸８１の下部の円筒部８１ａには、対をなす螺旋溝８１ｂと８１ｃとが設けられている。また、ブッシング８３にも溝８３ａと８３ｂが設けられている。この例ではブッシング８３に設ける溝８３ａと８３ｂは螺旋状の溝として設けられている。ロッド７８と軸８１とブッシング８３とは、ロッド７８の上端部近傍に設けられた孔７８ａと、軸８１の円筒部８１ａに設けられた螺旋溝８１ｂと８１ｃ、およびブッシング８３に設けられた溝８３ａと８３ｂに嵌めるピン８７により相互に連結される。
【００６９】
このため、上筒部５ｃがドア開方向に回動すると、上筒部５ｃと共に軸８１が回動することにより、軸８１の螺旋溝８１ｂと８１ｃとがピン８７およびロッド７８を押し上げる方向に動かす。これにより、後述の作動流体回路を介して、チャンバ７３のプランジャ７４より上の上室７３ａの作動流体がプランジャ７４より下の下室７３ｂに流れて、ロッド７８がプランジャ７４を引き上げて圧縮スプリング７９を圧縮するように動く。
【００７０】
図１９に示すように、端部キャップ７６には、ドアの閉じ速度を調節するための第１の調節部材９０と、閉じ動作の際の最後の閉じ速度（ラッチ速度）を調節するための第２の調節部材９１とが設けられている。これらの調節部材９０と９１は、それぞれ、上部９０ａと９１ａは上側が細くなるテーパー形をなし、下部は雄ねじ部９０ｂと９１ｂが形成されたものである。端部キャップ７６には、調節部材９０と９１にそれぞれ対応して、孔９２と９３が設けられている。これらの孔９２と９３は、調節部材９０と９１がそれぞれ嵌まるように、上部９２ａと９３ａとをテーパー形とし、下部は、調節部材９０と９１の雄ねじ部９０ｂと９１ｂとがそれぞれねじ込まれる雌ねじ部９２ｂと９３ｂとして形成されている。
【００７１】
端部キャップ７６の中央部には、上面から端部キャップ７６の途中部分にわたって、流体回路の一部となる縦孔９４が設けられる。縦孔９４と、調節部材９０と９１をそれぞれ嵌める孔９２と９３とは、それぞれ孔９５と９６により連通している。
【００７２】
端部キャップ７６の上面には、端部キャップ７６の周囲から一体に立ち上げて形成された円筒部９８が設けられている。この円筒部９８の外面には、その上端から縦方向に流体回路の一部となる溝９９が設けられ、この溝９９と第１の調節部材９０を嵌める孔９２とが、孔１００により連通している。
【００７３】
したがって、ドアが開いた状態、すなわち圧縮スプリング７９が圧縮された状態からドアが閉じるとき、圧縮スプリング７９の弾力によってプランジャ７４が下降する。これにより、プランジャ７４の下室７３ｂからの作動流体は、端部キャップ７６の中心の縦孔９４から孔９５を通り、第１の調節部材９０と孔９２との間の隙間を通る。さらに孔１００を経て、円筒部９８の外周の溝９９を通って、プランジャ７４の上室７３ａに至る。このため、第１の調節部材９０の位置を上げてその外周面と孔９２の内壁との間を狭くすると、作動流体の流量が制限されてドアを閉じる速度が遅くなり、反対に第１の調節部材９０の位置を下げるとドアを閉じる速度が速くなる。
【００７４】
なお、ドアが開いた状態から人手により外力を加えてドアを閉じる際に、その力が過大であったために下室７３ｂの流体圧力が過大になった際には、下室７３ｂの流体を上室７３ａに流す逆止弁を有する回路が設けられているが、図示を省略している。
【００７５】
次に第２の調節部材９１に関する流体回路について説明する。円筒部９８の外周には、円筒部９８の上下方向に流体回路の一部となる溝１０１が設けられている。溝１０１の上端部は、円筒部９８を半径方向に貫通する孔１０２により、チャンバ７３内に連通する。この孔１０２は、ドアが閉じた状態、すなわち図１９に示すように圧縮スプリング７９が最も伸びた状態において、プランジャ７４の上面よりわずかに上に位置する円筒部９８の箇所に設けられる。溝１０１の下端部は、端部キャップ７６に設けられた孔１０３により、第２の調節部材９１を嵌めた孔９３に連通する。
【００７６】
したがって、ドアが開いた状態から、圧縮スプリング７９が伸びながらドアが閉じていくとき、ドアが閉じる直前までは溝１０１の上端部に繋がる孔１０２はプランジャ７４により塞がれており、溝１０１には作動流体は流れない。しかしドアが閉じる最終段階になると、プランジャ７４の下降により、溝１０１の上端部の孔１０２がプランジャ７４の上室７３ａに露出する。
【００７７】
このため、ドアが閉じる最終段階になると、プランジャ７４の上室７３ａから、孔１０２と、溝１０１と、孔１０３を介して第２の調節部材９１が嵌まる孔９３に連通し、さらに孔９６と、縦孔９４を介してプランジャ７４の下室７３ｂに連通する。したがって、ドアが閉じる最終段階では、第１の調節部材９０に関連する回路を流れる作動流体の流量に、第２の調節部材９１に関連する回路を流れる作動流体の流量が加わる。その結果、ドアが閉じる最終段階では、第２の調節部材９１で調節される流量に対応して、ドアの閉じる速度（ラッチ速度）を変えることができる。
【００７８】
プランジャ７４には、ドアを開く際にプランジャ７４の上室７３ａの作動流体を下室７３ｂに流す逆止弁１０４が設けられている、ロッド７８とプランジャ７４には、それぞれ逆止弁１０４に連通する孔１０５と１０６が設けられている。この逆止弁１０４は、ドアが閉じるときには下室７３ｂが圧縮されて作動流体の圧力が上がることによって閉じ、下室７３ｂが孔１０５と１０６を通して作動流体が流れることを防ぎ、第１の調節部材９０と孔９２との間の回路を通して作動流体が流れ、調整された速度でドアが閉じる。
【００７９】
第１の調節部材９０と第２の調節部材９１は、例えば多角形の形状を有する操作部９０ｃと９１ｃを蝶番５から下方に突出させることにより、容易に調整作業が行なえる。すなわち、作業者は、高所作業によらず、自然な姿勢で工具により操作部９０ｃと９１ｃを掴むことが可能になるため、容易に調整作業が行なえる。また、図１０と図１２に示したように、ブラケット２８を隠す隠蔽部材６７Bを設けることにより、蝶番５の下部は外部から視認できないため、操作部９０ｃ、９１ｃが下方に突出していても、デザイン性を損なうことはない。
【００８０】
上述のように、第２の実施形態のドアにおいては、吊元側縦枠９内に取り付けられる蝶番５にドアクローザー６９を収容したものであり、蝶番５のみならず、ドアクローザーも吊元側縦枠９内に収めることができる。このため、従来のドアクローザーのように、ドアクローザーをドア本体４の上部とドア枠３の上枠１１との間に設ける必要がなくなる。このため、ドアクローザーを隠蔽することができ、第１の実施形態よりもさらにデザイン性が向上する。また、ドアクローザーの取り付け場所がドア上部ではなくなるため、取り付けが高所作業でなくなり、施工性が向上する。さらに、ドアクローザーの設置も、蝶番５の設置と同時に行なえるので、施工の手間が少なくなる。また、調節部材９０及び調節部材９１等によるドアクローザー６９の調整も、ドア上部における高所の作業ではなく、手元で行なえるので、調整作業も容易となるため、メンテナンス性が向上する。
【００８１】
以上本発明を実施形態により説明したが、本発明を実施する場合、吊元側縦枠９の形状は水平断面形状が矩形のみではなく、他の形状とすることも可能であり、例えば側面部の一部に縦方向に溝が形成された構造とすることもできる。また、本発明おける蝶番と同軸のドアクローザーは、少なくともドアが閉まる速度をコントロールする機能若しくはラッチ速度をコントロールする機能を備えた装置であればドアクローザーとして適用可能であり、上記実施形態に示したドアクローザーに限らない。その他、本発明の具体的実施に当たっては、上記説明に限られず、種々の変更、付加が可能である。
【符号の説明】
【００８２】
１：ドア
２：開口部
３：ドア枠
４：ドア本体
４ａ：見込み面部
４ｆ：遮蔽部
５：蝶番
５ａ：軸
５ｂ：下筒部
５ｃ：上筒部
５ｄ：第１の取付部
５ｅ：アーム部
５ｆ：水平調整部材
５ｇ：第２の取付部
８：隙間
９：吊元側縦枠
９ｄ：見込み面部
９ｆ：開口部
９ｇ：遮蔽部
１０：縦枠
１１：上枠
１２：下枠
２８：ブラケット
６０：ブラケット
６７Ａ、６７Ｂ、６８Ａ、６８Ｂ：遮蔽部材
６９：ドアクローザー
【図１】
2019173507.tif 000003
【図２】
2019173507.tif 000004
【図３】
2019173507.tif 000005
【図４】
2019173507.tif 000006
【図５】
2019173507.tif 000007
【図６】
2019173507.tif 000008
【図７】
2019173507.tif 000009
【図８】
2019173507.tif 000010
【図９】
2019173507.tif 000011
【図１０】
2019173507.tif 000012
【図１１】
2019173507.tif 000013
【図１２】
2019173507.tif 000014
【図１３】
2019173507.tif 000015
【図１４】
2019173507.tif 000016
【図１５】
2019173507.tif 000017
【図１６】
2019173507.tif 000018
【図１７】
2019173507.tif 000019
【図１８】
2019173507.tif 000020
【図１９】
2019173507.tif 000021